(57)【要約】      （修正有）【課題】頭皮または顔管理が容易になされ得るように構成した皮膚管理装置を提供する。【解決手段】薬液槽を薬液槽ケース４０に内蔵し、薬液槽ケースを上下に駆動する薬物ポンピング動力提供手段３０にてポンピングして薬液槽に入れられた薬液が外部に吐出されるように構成し、薬物ポンピング動力提供手段を利用して頭皮または顔に直接薬物を塗布することにより、頭皮または顔管理が容易になされ得るように構成したことを特徴とする薬物ポンピング手段を有する皮膚管理装置１００。【選択図】図３
2020171407.tif 000002
【特許請求の範囲】
【請求項１】
ハウジングと、
前記ハウジングの内部に設けられ、外部から電力の供給を受けて電気を充電後、装置に電気を提供するバッテリと、
前記ハウジングの内部一端に設けられ、前記バッテリに電気的に接続され、前記バッテリから電力の供給を受け、モータの回転運動をカム運動に変換させ、昇降作動力を外部に伝達するようになされるポンピング動力提供手段と、
前記ハウジングの内部一端に設けられ、前記ポンピング動力提供手段の動力出力用軸に連結されて昇降作動をし、内部に搭載される薬液槽の薬液が外部に吐出されるように導く薬液槽ケースと、
前記薬液槽ケースの外周縁に設置し、一側が前記ハウジング内側の係止爪に固定され、他側が前記薬液槽ケースの係止爪に固定されて、前記薬液槽ケースを弾性支持して前記薬液槽ケースが昇降作動を維持できるようにする昇降保持用弾性ばねと、
前記薬液槽ケースの内側に挿入結合され、内部に薬液を保存させ、前記薬液槽ケースの動きにしたがって上下に流動しつつ、顔または頭皮に薬物を供給する役割をする前記薬液槽と、
前記薬液槽の下部に螺合または強制嵌合によって結合されて、前記薬液槽内部に存在する薬物が外部に吐出されるように導き、薬物が排出されるための薬物排出用ホールを複数個形成し、頭皮や顔に微細に傷を付けて薬物の皮膚投入が円滑なように導く針を複数個設けてなる薬物塗布手段と、を備えて構成することを特徴とする皮膚管理装置。
【請求項２】
前記ポンピング動力提供手段は、
前記ハウジングの内部に設置し、前記バッテリから電源の供給を受けて回転運動し、これにより、モータ軸が回転する駆動用モータと、
前記モータ軸の終端部に挿入結合され、一側の外表面が楕円状に突出してなるカムシャフトと、
前記カムシャフトに結合し、長方形のパネル形状で中央に空間部を形成し、前記カムシャフトに空間部が結合されて、前記カムシャフトの回転によって本体が左右に流動する左右流動手段と、
前記左右流動手段に結合し、長方形のパネル形状で前記左右流動手段の一側にヒンジで結合され、前記左右流動手段の動きを垂直往復運動に変換させる動力中継用コネクタと、
前記動力中継用コネクタに結合し、傾斜パネルと垂直パネルとが一体型に結合されてなり、前記動力中継用コネクタの終端部にヒンジで結合され、前記動力中継用コネクタで発生された駆動力を外部に出力して昇降動作がなされるようにする前記動力出力用軸と、からなることを特徴とする請求項１に記載の皮膚管理装置。
【請求項３】
前記薬液槽ケースの一端に薬液槽吐出手段をさらに設けてなり、
前記薬液槽吐出手段は、
前記薬液槽ケースに挿入結合されて固定される上部ケースと、
前記上部ケースに摺動結合され、前記薬液槽が前記薬液槽ケースに結合時、前記上部ケースに挿入され、前記薬液槽を前記薬液槽ケースから分離するときに前記薬液槽を押して吐出させる下部ケースと、
前記上部ケースと前記下部ケースとの間に挿入結合され、前記薬液槽ケースに結合時、前記上部ケースと前記下部ケース内部で収縮され、前記薬液槽を前記薬液槽ケースから分離するときに付勢しながら前記下部ケースを押し、これにより、前記薬液槽を押して吐出させる弾性ばねと、を備えて構成することを特徴とする請求項１に記載の皮膚管理装置。
【請求項４】
前記ハウジングの下部に結合し、薬物塗布器の枠面下端に突出され、薬物塗布器を頭皮に衝突時に、薬物塗布器と頭皮との間を所定間隔離間させ、薬物が頭皮から所定距離離間した状態で散布されるように導く間隔材をさらに設けてなることを特徴とする請求項１に記載の皮膚管理装置。
【請求項５】
前記薬液槽を前記薬液槽ケースに容易に挿入するために、前記薬液槽ケースの内周縁に水平溝と垂直溝とが連続する形状の誘導溝を形成させ、
前記誘導溝に結合されるように前記薬液槽の外周縁に結合用突起口を形成してなることを特徴とする請求項１に記載の皮膚管理装置。
【請求項６】
前記針は、円錐形からなり、一端表面の傾斜面に沿って２個または４個の溝が形成されてなることを特徴とする請求項１に記載の皮膚管理装置。
【請求項７】
前記バッテリを充電するための皮膚管理装置充電手段と、前記皮膚管理装置充電手段の下端に結合される充電装置結合用ケースとをさらに備えてなり、
前記薬液槽の殺菌のための紫外線ＬＥＤを前記充電装置結合用ケースの上部一端にさらに設けてなることを特徴とする請求項１に記載の皮膚管理装置。
【請求項８】
前記薬液槽の外周縁には、ユーザに光治療効果を導く赤外線ＬＥＤをさらに設けてなることを特徴とする請求項１に記載の皮膚管理装置。
【発明の詳細な説明】
【技術分野】
【０００１】
本発明は、皮膚管理装置に関し、特に、薬液槽を薬液槽ケースに内蔵し、前記薬液槽ケースを上下に駆動する薬物ポンピング動力提供手段にてポンピングして薬液槽に入れられた薬液が外部に吐出されるように構成し、前記薬物ポンピング動力提供手段を利用して頭皮または顔に直接薬物を塗布することにより、頭皮または顔管理が容易になされ得るように構成したことを特徴とする薬物ポンピング手段を有する皮膚管理装置に関する。
【背景技術】
【０００２】
一般に、皮膚は、乾燥しやすいが、このようになる場合、様々なマッサージや保湿を介して乾燥化または老化等を抑制できなければならない。皮膚の中でも頭皮の健康は脱毛と直結するので、極めて重要である。脱毛の原因は、大別して、遺伝的な要因と非遺伝的な要因とに分けることができ、この中で遺伝的な要因は先天的なものであり、脱毛を防ぐための努力をするとしても、脱毛の進行を抑制することは容易でないが、非遺伝的な脱毛の原因は、各種疾病や肉体的なストレス、または精神的なストレスの累積にあり、これにより脱毛が促進されることがある。
【０００３】
医学的にみるとき、脱毛現象を根本的になくすことはできないが、現在の状態で脱毛がそれ以上進行されることを抑制するための各種の方法が工夫されており、そのうち、頭皮に一定の強さの刺激を与えながら血液循環を促進し、毛根を強化させて脱毛を減らすための方案が提示されている。
【０００４】
これに対する先行技術文献をみると、特許文献１の図１は、マイクロニードルを用いた頭皮管理機の斜視図であり、図２は、先行技術文献によるマイクロニードルを用いた頭皮管理機の分解斜視図であり、図３ａ及び図３ｂは、先行技術文献によるマイクロニードルを用いた頭皮管理機のニードルベースとマイクロニードルとの結合の斜視図であり、図４ａ及び図４ｂは、先行技術文献によるマイクロニードルを用いた頭皮管理機のニードルベースと本体部との結合斜視図である。
【０００５】
特許文献１に記載のマイクロニードルを用いた頭皮管理機は、同文献の図１〜図４ｂに示されたように、所定間隔でマイクロニードル１１を形成したニードルベース１０を半円状の本体部２０の一側と他側に結合し、本体部２０の左右側面にニードルベース１０と本体部２０の脱離を防止するように、半円板ディスク３０をボルト３２により締め付け、本体部２０の上端には、取っ手部４０を形成して、頭皮管理の際、ユーザが手に取って容易に使用できるようにし、取っ手部４０と本体部２０との間に本体部２０と取っ手部４０とを連結する垂直支持台５０を形成した構造からなる。ニードルベース１０は、両側面に固定結合突起１２を形成して、本体部２０の一側と他側に複数形成された固定結合溝２１に結合されるように構成し、半円板ディスク３０は、枠に係止爪３１を形成して、本体部２０とニードルベース１０とが脱離されないようにする。
【０００６】
ところが、この特許文献１に記載のマイクロニードルを用いた頭皮管理機は、頭皮管理の際、取っ手部４０を頭皮と密着させた後、左右に振ってニードルベース１０のマイクロニードル１１が頭皮に当接するようにしなければならず、長時間使用するとき、手動作業による肩の痛みなどを誘発して使用上の不便を招き、さらに、単にマイクロニードル１１にのみ依存して頭皮に刺激を与えるため、頭皮治療の効果を大きく期待できないという限界を抱えている。なお、本段落とその前二段落において記載した符号は、特許文献１で用いられている図面参照符号である。
【０００７】
一方、これを解決するために、特許文献２には、皮膚管理機が案出されたところ、上記特許の主な技術内容をみると、スイッチ１１のオンによってバッテリ１２の電源で駆動されるモータ１３を内蔵したハウジング１０と、上部大径孔２１及び下部小径孔２２に連通されるとともに、前記モータ１３を直立固定させる上部板３０を支持しつつ、前記ハウジング１０に結合されたメイントランク２０と、サイン波形駆動カムライン４１ａを有する上部円筒軸４１及び前記下部小径孔２２に達するまで挟まれて下部に露出する下部長軸４２を有しつつ、前記モータ１３の駆動に合わせて回転されるシャフト４０と、前記下部小径孔２２上に装着される上部ばねＳ１と、前記サイン波形駆動カムライン４１ａに連動されるサイン波形被動カムライン５１ａを有する上部昇降筒５１及び前記下部長軸４２を収容するとともに、前記上部ばねＳ１を通過して前記下部小径孔２２に達するまで挟まれる下部昇降筒５２を備えながら、前記上部ばねＳ１により弾性昇降される昇降筒５０と、センターホール６１を有するとともに、下部筒溝６２を備えて、前記メイントランク２０に装着されるサブトランク６０と、前記センターホール６１上に装着される下部ばねＳ２と、前記下部ばねＳ２を通過しながら、前記センターホール６１を経由して前記下部筒溝６２に露出し、前記昇降筒５０の下部昇降筒５２が下降する場合、瞬間下降し、前記下部昇降筒５２が上昇する場合、前記下部ばねＳ２により弾性的に上昇して前記シャフト４０の下部長軸４２に噛み合うとともに瞬間回転される昇降回転軸７０と、皮膚を刺激する刺激棒８１を有するとともに、前記下部筒溝６２に挟まれながら前記昇降回転軸７０に固定され、前記サイン波形駆動カムライン４１ａ及びサイン波形被動カムライン５１ａの相互連動によって瞬間昇降に続いて瞬間回転される昇降回転刺激体８０を備えてなることが特徴である。なお、本段落において記載した符号は、特許文献２で用いられている図面参照符号である。
【０００８】
この特許文献２の技術は、スイッチのオンによってバッテリの電源で駆動されるモータを活用して刺激棒の自動昇降により皮膚、例えば、頭皮をマッサージできるようにして、使用上の便利さを大きく増進させることができる皮膚管理機を提供するところ、昇降筒の昇降動作によって刺激棒が針の場合、下降時には、皮膚、例えば、頭皮を微細に刺すことができるようにし、上昇時には、昇降回転刺激体の回転方向位置変更を保障して、針が皮膚、例えば、頭皮を刺した状態で回転される場合、傷が生じる恐れを事前に防止できるようにする皮膚管理機を提供する技術である。
【０００９】
しかし、特許文献２の技術は、垂直往復と回転機能を備えなければならないので、複雑な構造を有するという問題があり、特に、頭皮を刺した状態で回転されることを防止しなければならないので、必要以上に非常に複雑になる構造を有するようになり、故障が多く発生し、維持補修が難しくなるという問題がある。
【００１０】
なお、モータの回転運動が垂直往復運動と回転運動とに分離されるので、装置の動作が円滑に進行され得ないという問題があった。
【００１１】
また、特許文献２の技術では、ワンタッチによる分離着脱が容易でなく、分離過程で手が汚染され得るという問題がある。
【先行技術文献】
【特許文献】
【００１２】
【特許文献１】大韓民国登録実用新案第２０−０４３９１０６号
【特許文献２】大韓民国登録特許第１０−１８２０７１１号
【発明の概要】
【発明が解決しようとする課題】
【００１３】
本発明は、上記のような問題を解決しようとするものであって、その目的は、薬液槽に薬物を注入した状態で薬液槽ケースに収納し、前記薬液槽ケースをポンピング動力提供手段にてポンピングして外部に吐出させることにより、円滑に薬液が皮膚に染み込むように構成することにある。
【課題を解決するための手段】
【００１４】
上記目的を達成するための手段として、本発明にかかる皮膚管理装置（１００）は、ハウジング（１０）と、前記ハウジング（１０）の内部に設けられ、外部から電力の供給を受けて電気を充電後、装置に電気を提供するバッテリ（２０）と、前記ハウジング（１０）の内部一端に設けられ、前記バッテリ（２０）に電気的に接続され、バッテリ（２０）から電力の供給を受け、モータの回転運動をカム運動に変換させ、昇降作動力を外部に伝達するようになされるポンピング動力提供手段（３０）と、前記ハウジング（１０）の内部一端に設けられ、前記ポンピング動力提供手段（３０）の動力出力用軸（３５）に連結されて昇降作動をし、内部に搭載される薬液槽（６０）の薬液が外部に吐出されるように導く薬液槽ケース（４０）と、前記薬液槽ケース（４０）の外周縁に設置し、一側がハウジング（１０）内側の係止爪に固定され、他側が薬液槽ケース（４０）の係止爪に固定されて、薬液槽ケース（４０）を弾性支持して薬液槽ケース（４０）が昇降作動を維持できるようにする昇降保持用弾性ばね（５０）と、前記薬液槽ケース（４０）の内側に挿入結合され、内部に薬液を保存させ、薬液槽ケース（４０）の動きにしたがって上下に流動しつつ、顔または頭皮に薬物を供給する役割をする薬液槽（６０）と、前記薬液槽（６０）の下部に螺合または強制嵌合によって結合されて、薬液槽（６０）内部に存在する薬物が外部に吐出されるように導き、薬物が排出されるための薬物排出用ホール（７１）を複数個形成し、頭皮や顔に微細に傷を付けて薬物の皮膚投入が円滑なように導く針（７２）を複数個設けてなる薬物塗布手段（７０）とを備えて構成することが特徴である。
【００１５】
また、前記ポンピング動力提供手段（３０）は、前記ハウジング（１０）の内部に設置し、バッテリ（２０）から電源の供給を受けて回転運動し、これにより、モータ軸（３１ａ）が回転する駆動用モータ（３１）と、前記モータ軸（３１ａ）の終端部に挿入結合され、一側の外表面が楕円状に突出してなるカムシャフト（３２）と、前記カムシャフト（３２）に結合し、長方形のパネル形状で中央に空間部を形成し、前記カムシャフト（３２）に空間部が結合されて、カムシャフト（３２）の回転によって本体が左右に流動する左右流動手段（３３）と、前記左右流動手段（３３）に結合し、長方形のパネル形状で前記左右流動手段（３３）の一側にヒンジで結合され、左右流動手段（３３）の動きを垂直往復運動に変換させる動力中継用コネクタ（３４）と、前記動力中継用コネクタ（３４）に結合し、傾斜パネルと垂直パネルとが一体型に結合されてなり、動力中継用コネクタ（３４）の終端部にヒンジで結合され、動力中継用コネクタ（３４）で発生された駆動力を外部に出力して昇降動作がなされるようにする動力出力用軸（３５）からなるようにしてもよい。
【００１６】
また、前記薬液槽ケース（４０）の一端に薬液槽吐出手段（８０）をさらに設けてなり、前記薬液槽吐出手段（８０）は、薬液槽ケース（４０）に挿入結合されて固定される上部ケース（８１）と、前記上部ケース（８１）に摺動結合され、薬液槽（６０）が薬液槽ケース（４０）に結合時、上部ケース（８１）に挿入され、薬液槽（６０）を薬液槽ケース（４０）から分離するときに薬液槽（６０）を押して吐出させる下部ケース（８２）と、前記上部ケース（８１）と下部ケース（８２）との間に挿入結合され、薬液槽ケース（４０）に結合時、上部ケース（８１）と下部ケース（８２）内部で収縮され、薬液槽（６０）を薬液槽ケース（４０）から分離するときに付勢しながら下部ケース（８２）を押し、これにより、薬液槽（６０）を押して吐出させる弾性ばね（８３）とを備えて構成してもよい。
【００１７】
また、前記ハウジング（１０）の下部に結合し、薬物塗布器の枠面下端に突出され、薬物塗布器を頭皮に衝突するときに薬物塗布器と頭皮との間を所定間隔離間させ、薬物が頭皮から所定距離離間した状態で散布されるように導く間隔材（９０）をさらに設けてなるようにしてもよい。
【００１８】
また、前記薬液槽（６０）を薬液槽ケース（４０）に容易に挿入するために、薬液槽ケース（４０）の内周縁に水平溝と垂直溝とが連続する形状の誘導溝（４１）を形成させ、前記誘導溝（４１）に結合されるように薬液槽（６０）の外周縁に結合用突起口（６１）を形成してなるようにしてもよい。
【００１９】
また、前記針（７２）は、円錐形からなり、一端表面の傾斜面に沿って２個または４個の溝（７２ａ）が形成されてなるようにしてもよい。
【００２０】
また、前記バッテリ（２０）を充電するための皮膚管理装置充電手段（２００）と、前記皮膚管理装置充電手段（２００）の下端に結合される充電装置結合用ケース（３００）とをさらに備えてなり、前記薬液槽（６０）の殺菌のための紫外線ＬＥＤ（１３０）を充電装置結合用ケース（３００）の上部一端にさらに設けてなるようにしてもよい。
【００２１】
また、前記薬液槽（６０）の外周縁には、ユーザに光治療効果を導く赤外線ＬＥＤ（１４０）をさらに設けてなるようにしてもよい。
【発明の効果】
【００２２】
本発明は、薬液槽に薬物を注入した状態で薬液槽ケースに収納し、前記薬液槽ケースをポンピング動力提供手段にてポンピングして外部に吐出させることにより、円滑に薬液が皮膚に染み込んで皮膚美容を極大化させるという効果がある。
【図面の簡単な説明】
【００２３】
【図１】本発明の皮膚管理装置の全体構成を示した斜視図。
【図２】図１の部分拡大斜視図。
【図３】本発明の皮膚管理装置の全体構成を示した断面図。
【図４】本発明のポンピング動力提供手段の第１の作動状態図。
【図５】本発明のポンピング動力提供手段の第２の作動状態図。
【図６】本発明のカムシャフト構成図。
【図７】本発明のカムシャフトの第１の動作図。
【図８】本発明のカムシャフトの第２の動作図。
【図９】本発明の薬液槽ケース及び薬液槽吐出手段の構成図。
【図１０】本発明の薬液槽ケース及び薬液槽吐出手段の結合前の状態図。
【図１１】薬液槽吐出手段を具体化させた断面図。
【図１２】本発明の薬液槽と薬液槽ケース、及び薬物塗布手段の構成図。
【図１３】本発明の薬液槽及び薬物塗布手段の構成図。
【図１４】本発明の薬物塗布手段を説明するための斜視図。
【図１５】本発明の薬物塗布手段の斜視図。
【図１６】本発明の薬物塗布手段の平面図。
【図１７】本発明の薬物塗布手段の断面図。
【図１８】本発明の薬物塗布手段の針の第１の実施形態の斜視図。
【図１９】本発明の薬物塗布手段の針の第１の実施形態の平面図。
【図２０】本発明の薬物塗布手段の針の第２の実施形態の斜視図。
【図２１】本発明の薬物塗布手段の針の第２の実施形態の平面図。
【図２２】本発明の実施形態の構成図。
【図２３】本発明の実施形態の分解斜視図。
【図２４】本発明の実施形態の断面図。
【発明を実施するための形態】
【００２４】
以下、添付された図面と説明を参照し、本発明の好ましい実施形態とその動作原理を詳細に説明する。ただし、下記に図示される図面と後述する説明とは、本発明の特徴を効果的に説明するための種々の方法のうち、好ましい実施方法に関するものであり、本発明が下記の図面と説明だけに限定されるものではない。
【００２５】
また、下記において本発明を説明するにあって、関連した公知機能または構成についての具体的な説明が本発明の要旨を不要に濁す恐れがあると判断される場合には、その詳細な説明を省略する。そして、後述する用語は、本発明における機能を考慮して定義された用語であって、これは、ユーザ、運用者の意図または慣例などによって変わることができる。したがって、その定義は、本発明において全般にわたった内容に基づいて下されるべきであろう。
また、以下に実施される本発明の好ましい実施形態は、本発明をなす技術的構成要素を効率的に説明するために、それぞれのシステム機能構成に既に備えられているか、または本発明の属する技術分野において通常的に備えられるシステム機能構成はなるべく省略し、本発明のために追加的に備えられなければならない機能構成を中心に説明する。
もし、本発明の属する技術分野における通常の知識を有する者であれば、下記に図示せずに省略された機能構成のうち、従来に既に使用されている構成要素の機能を容易に理解できるであろうし、また、上記のように省略された構成要素と本発明のために追加された構成要素との間の関係も明らかに理解できるであろう。
また、以下の実施形態は、本発明の核心的な技術的特徴を効率的に説明するために、本発明の属する技術分野における通常の知識を有する者が明らかに理解できるように、用語を適宜変形して使用するが、これにより本発明が限定されるものでは決してない。
結果的に、本発明の技術的思想は、請求の範囲により決定され、以下の実施形態は、進歩的な本発明の技術的思想を本発明の属する技術分野における通常の知識を有する者に効率的に説明するための１つの手段に過ぎない。
【００２６】
本発明の皮膚管理装置１００の主な構成要素は、ハウジング１０と、バッテリ２０と、ポンピング動力提供手段３０と、薬液槽ケース４０と、昇降保持用弾性ばね５０と、薬液槽６０と、薬物塗布手段７０と、薬液槽吐出手段８０と、間隔材９０とからなる。未説明符号９１は、薬物塗布器の下部を閉鎖して、使用前に薬物塗布器を保護するための保護用キャップである。
【００２７】
前記ハウジング１０は、内部に空間部を有し、各種装置を内蔵してなる。すなわち、ハウジング１０は、一側がオープンされた２個のケースを各々相互接合して構成し、前記ケースが接合される過程で発生する空間部に各種装置が設けられるものである。このようなハウジング１０は、一般的に、内部に空間部を有する手段等と類似した構造である。
【００２８】
前記バッテリ２０は、ハウジング１０の内部に設けられ、外部から電力の供給を受けて電気を充電後、装置に電気を提供する役割をする。すなわち、バッテリ２０は、ハウジング１０の上部に設けられ、外部電力供給装置と電気的に接続されて電気の供給を受け、供給された電力を臨時保存して、電力を必要とする各種装置に電気を供給する。
【００２９】
前記ポンピング動力提供手段３０は、バッテリ２０に電気的に接続されて、バッテリ２０から電力の供給を受けて、モータの回転運動をカム運動に変換させて昇降作動力を外部に伝達するように構成される。具体的には、駆動用モータ３１と、カムシャフト３２と、左右流動手段３３と、動力中継用コネクタ３４と、動力出力用軸３５とからなる。前記駆動用モータ３１は、バッテリ２０から電源の供給を受けて回転運動をし、これにより、モータ軸３１ａが回転される。前記カムシャフト３２は、モータ軸の終端部に挿入結合され、一側の外表面が楕円状に突出してなる。前記左右流動手段３３は、長方形のパネル形状で中央に空間部３３ａを形成し、カムシャフト３２が空間部３３ａに挿入結合されて、カムシャフト３２の空間部内部で偏心回転によって左右流動手段３３が左右に流動する。前記動力中継用コネクタ３４は、長方形のパネル形状で左右流動手段３３の一側にヒンジで結合され、左右流動手段３３の動きを垂直円弧運動に変換させる。前記動力出力用軸３５は、傾斜パネル３５ａと垂直パネル３５ｂとが一体形に結合されてなり、動力中継用コネクタ３４の終端部にヒンジで結合され、動力中継用コネクタ３４から発生された駆動力を外部に出力して昇降動作がなされるようにする。
【００３０】
前記薬液槽ケース４０は、前記ポンピング動力提供手段３０の動力出力用軸３５に連結されて昇降作動をし、内部に搭載される薬液槽６０の薬液が外部に吐出されるように導く。
【００３１】
前記昇降保持用弾性ばね５０は、薬液槽ケース４０の外周縁に設置し、一側がハウジング１０内側の係止爪に固定され、他側が薬液槽ケース４０の係止爪に固定されて、薬液槽ケース４０を弾性支持して薬液槽ケース４０が昇降作動を維持できるようにする。すなわち、昇降保持用弾性ばね５０は、薬液槽ケース４０を上部方向に押し上げ続ける弾性作用をするので、ポンピング動力提供手段３０の動力出力用軸の下降作動により薬液槽ケース４０が下降し、ポンピング動力提供手段３０の動力出力用軸が上昇すれば、昇降保持用弾性ばね５０によって薬液槽ケース３０が上昇する。したがって、薬液槽ケース４０は、連続的に上下運動がなされるようになる。
【００３２】
前記薬液槽６０は、シリンダー形状であり、薬液槽ケース４０の内側に挿入結合され、薬液槽ケース４０の動きにしたがって上下に流動しつつ、顔または頭皮に薬物を供給する役割をする。
【００３３】
また、薬液槽６０は、内部に保存される薬物を薬物塗布手段７０を介して塗布するところ、前記薬物塗布手段７０は、薬液槽６０上部を閉鎖する栓の役割をするとともに、薬物を一定量ずつ外部に吐出できるように本体に薬物通過用ホール７１が複数個形成されてなる。すなわち、薬物通過用ホール７１を介して外部に排出されるようにし、このとき、薬液槽６０は、薬液槽ケース４０の内部に設けられるので、薬液槽ケース４０の上下作動時に薬液槽６０が打撃されて慣性の法則によって外部に薬物を出力するようになる。また、前記薬物塗布手段７０の本体に頭皮または顔を微細に刺すことができるように針７２をさらに備えてなり、前記針７２は、頭皮または顔皮膚に微細に傷を付けて、薬物がより円滑に頭皮または顔皮膚に浸透されるように導く。
【００３４】
前記薬液槽吐出手段８０は、薬液槽ケース４０の上部一端に設置し、２個が一組に設けられ、、上部ケース８１と下部ケース８２、及び弾性ばね８３の結合からなり、薬液槽６０を薬液槽ケース４０に結合するときに、上部ケース８１が下部ケース８２の内部に挿入され、このとき、弾性ばね８３が収縮されて弾性支持し、薬液槽６０を薬液槽ケース４０から分離するときに、弾性ばね８３が伸びながら下部ケース８２を押して弾性圧力を薬液槽６０の本体に伝達して薬液槽６０が薬液槽ケース４０から容易に分離されるように導く。
【００３５】
前記間隔材９０は、ハウジング１０の下部に結合し、薬物塗布器７０の枠面下端に突出され、薬物塗布器７０を頭皮に衝突するときに、薬物塗布器７０と頭皮との間を所定間隔離間させ、薬物が頭皮から所定距離離間した状態で散布されるように導く。すなわち、前記間隔材９０は、ハウジング１０の下部に位置して、頭皮や顔から薬物塗布器７０を所定間隔離間させ、薬物塗布器７０が所定高さで頭皮または顔に薬物を出力するように導くものである。
【００３６】
さらに、本発明は、薬液槽６０を薬液槽ケース４０に容易に挿入するために、薬液槽ケース４０の内周縁に「¬」形の誘導溝４１を形成させ、薬液槽６０の外周縁に結合用突起口６１を形成し、前記薬液槽６０を薬液槽ケース４０に結合するときに、前記薬液槽６０の結合用突起口６１を「¬」形の誘導溝４１に挿入後に回転させることにより、薬液槽６０が薬液槽ケース４０から容易に分離されないようにし、また、薬液槽６０を薬液槽ケース４０から分離させるときには、薬液槽６０を薬液槽ケース４０を中心に回転させると、薬液槽ケース４０に設けられた薬液槽吐出手段８０が作動されて薬液槽６０を外部に押し出しながら、薬液槽６０が薬液槽ケース４０からより容易に分離されるように導く。
【００３７】
以下において本発明の結合関係を説明すれば、次のとおりである。
本発明は、ハウジング１０と、バッテリ２０と、ポンピング動力提供手段３０と、薬液槽ケース４０と、昇降保持用弾性ばね５０と、薬液槽６０と、薬物塗布手段７０と、薬液槽吐出手段８０と、間隔材９０とからなるところ、ハウジング１０の内部の最も上部側にバッテリ２０が結合され、ハウジング１０の中間にポンピング動力提供手段３０が結合され、ハウジング１０の下端部に薬液槽ケース４０が結合されてなる。
【００３８】
そして、前記薬液槽ケース４０の外周縁には、昇降保持用弾性ばね５０が装着され、薬液槽ケース４０内部に薬液槽６０が結合され、薬液槽６０の出口側に薬物塗布手段７０が結合されてなる。
【００３９】
そして、前記薬液槽ケース４０の上端に薬液槽吐出手段８０が結合されて、薬液槽６０と薬液槽ケース４０との間を弾性支持しており、ハウジング１０の下部外周縁には間隔材９０が設けられて、ハウジング１０と皮膚との間を離間させる。
【００４０】
以下において本発明の作用効果を説明すれば、次のとおりである。
まず、薬液槽ケース４０に薬液槽６０を収納し、薬液槽６０の外周縁に設けられた結合用突起口６１を薬液槽ケース４０の内周縁に形成した「¬」形の誘導溝４１に一致させ、垂直に押し込んだ後、回転させて固定させる。
このとき、前記薬液槽ケース４０に設けられた薬液槽吐出手段８０は、弾性ばね８３が圧縮されながら、薬液槽ケース４０から薬液槽６０を弾性支持するようになる。
【００４１】
この状態で皮膚管理装置１００を作動させるようになると、バッテリ２０の電源がポンピング動力提供手段３０に印加されながらポンピング動力提供手段３０が作動されるようになり、これによって薬液槽ケース４０を下降させ、これにより、薬液槽ケース４０の内部に挿入された薬液槽６０が下部に移動しつつ、薬液槽６０に入れられた薬物を薬物塗布手段７０を介して外部に出力させる。すなわち、薬液槽６０に入れられた薬物は、薬物塗布手段７０の薬物通過用ホール７１を介して外部に出力されて、顔や頭皮に散布されるようになるものである。
【００４２】
このとき、前記薬物塗布手段７０には針７２が設けられているところ、前記針７２が顔皮膚及び頭皮に浸透するようになって微細な傷を生じさせ、前記微細な傷に薬物が挿入されながら薬物浸透効果を極大化させる。
【００４３】
そして、薬液槽ケース４０の外周縁には、昇降保持用弾性ばね５０が装着されているところ、薬液槽ケース４０が下降した後にポンピング動力提供手段３０の作動によって動力出力用軸３５が上昇するとき、前記昇降保持用弾性ばね５０の作動によって薬液槽ケース４０が元の位置に戻る。
【００４４】
上記のように、ポンピング動力提供手段３０と昇降保持用弾性ばね５０との繰り返された昇降作動によって薬液槽ケース４０は速い速度で昇降するようになり、これにより、薬液槽ケース４０の内部に装着された薬液槽６０が速く昇降しながら、薬液槽６０内部に入れられた薬物を外部に塗布するようになるものである。
【００４５】
以下において、前記ポンピング動力提供手段３０の動作をより詳細に説明すれば、次のとおりである。
前記ポンピング動力提供手段３０は、駆動用モータ３１と、カムシャフト３２と、左右流動手段３３と、動力中継用コネクタ３４と、動力出力用軸３５とからなっているところ、まず、前記駆動用モータ３１は、バッテリ２０から電源の供給を受けて回転運動をし、これにより、モータ軸３１ａが回転するようになる。そして、前記モータ軸３１ａの終端部に挿入されたカムシャフト３２が回転運動するようになり、前記カムシャフト３２の回転運動によって左右流動手段３３が左右運動に変えられて運動するようになる。
【００４６】
そして、前記左右流動手段３３が動くようになると、左右流動手段３３にヒンジ結合された動力中継用コネクタ３４が垂直円弧運動をするようになり、前記動力中継用コネクタ３４に結合された動力出力用軸３５が昇降作動に変換されて薬液槽ケース４０を昇降させる。
【００４７】
すなわち、本発明のポンピング動力提供手段３０は、駆動用モータ３１から発生された水平回転力を動力出力用軸３５の上下昇降運動に切り換えて薬液槽ケース４０の昇降作動が可能なようにすることで、薬液槽ケース４０の内部に結合された薬液槽６０から薬液が外部に出力されるようにするものである。
【００４８】
図２２〜図２４は、本発明の実施形態の構成図であって、皮膚管理装置１００と、皮膚管理装置充電手段２００と、充電装置結合用ケース３００とを例示している。
前記皮膚管理充電手段２００は、皮膚管理装置１００を挿入させて充電させるための電力を供給する手段であり、充電装置結合用ケース３００は、皮膚管理充電手段２００の下部に結合されてケーシングする手段である。
【００４９】
また、本発明は、薬液槽６０の殺菌のための紫外線ＬＥＤ１３０を充電装置結合用ケース３００の上部一端にさらに設置し、且つ、薬液槽６０の外周縁には、ユーザに光治療効果を導く赤外線ＬＥＤ１４０をさらに設けてなる。
参考として、赤外線ＬＥＤ１４０は、２つの種類を混合して設けることができるところ、６３０−６６０ｎｍ帯域の波長を出力するＬＥＤと、８３０−８９０ｎｍ帯域の波長を出力するＬＥＤとを設けることができる。前記６３０−６６０ｎｍ帯域の波長は、老化防止に効果があり、８３０−８９０ｎｍ帯域の波長は、痛み緩和に効果がある。
本発明は、痛み緩和と老化防止の効果がある赤外線ＬＥＤを適用して、ユーザに付加的な助けを与えることができるようにする。
【符号の説明】
【００５０】
１０  ハウジング
２０  バッテリ
３０  ポンピング動力提供手段
４０  薬液槽ケース
５０  昇降保持用弾性ばね
６０  薬液槽
７０  薬物塗布手段
８０  薬液槽吐出手段
９０  間隔材
１００  皮膚管理装置
【図１】
2020171407.tif 000003
【図２】
2020171407.tif 000004
【図３】
2020171407.tif 000005
【図４】
2020171407.tif 000006
【図５】
2020171407.tif 000007
【図６】
2020171407.tif 000008
【図７】
2020171407.tif 000009
【図８】
2020171407.tif 000010
【図９】
2020171407.tif 000011
【図１０】
2020171407.tif 000012
【図１１】
2020171407.tif 000013
【図１２】
2020171407.tif 000014
【図１３】
2020171407.tif 000015
【図１４】
2020171407.tif 000016
【図１５】
2020171407.tif 000017
【図１６】
2020171407.tif 000018
【図１７】
2020171407.tif 000019
【図１８】
2020171407.tif 000020
【図１９】
2020171407.tif 000021
【図２０】
2020171407.tif 000022
【図２１】
2020171407.tif 000023
【図２２】
2020171407.tif 000024
【図２３】
2020171407.tif 000025
【図２４】
2020171407.tif 000026